(57)【特許請求の範囲】
【請求項１】
所定の長さに切断された可撓性を有する送液管の一端に、事前に継手が接続されてなる複数組の配管用部材組立品を、まず、施工場所において継手を水栓器具設置場所に固定し、次いで、送液管を配管ルートに沿って配管し、最後に、各送液管の他端をそれぞれ複数の分岐口を有する給水・給湯ヘッダーの各一個の分岐口に接続することを特徴とする配管用部材組立品の施工方法。
【請求項２】
可撓性を有する液送管が、中空管状のサヤ管内に挿通されてなる、請求項１に記載の配管用部材組立品の施工方法。
【請求項３】
可撓性を有する液送管が、架橋ポリエチレン管または架橋ポリブテン管である、請求項１または請求項２に記載の配管用部材組立品の施工方法。
【発明の詳細な説明】
【０００１】
【産業条の利用分野】
本発明は、配管用部材組立品の施工方法に関する。さらに詳しくは、一般の住宅、集合住宅または商業ビルなどのプレハブ住宅に主に用いられる給水・給湯配管に関し、現場における施工の簡便化を図った配管用部材組立品の施工方法に関する。
【０００２】
【従来の技術】
従来、一般の住宅、集合住宅、ホテルおよび商業ビルは、建築作業の合理化を目的としてプレハブ建築法が普及してきた。プレハブ住宅においては各ユニット、たとえば洗面所、風呂および便所が１ユニット、台所および洗濯機置場は１ユニットなどというように、１ユニットごとに工場で製作し、さらに床、壁、天井なども工場で製作し、これらの一部は工場のベルトコンベア上で組立て、残りを建築現場に運んで組立る方法、総てのユニット部品を建築現場に運びそこで組立て目的の建築物とする方法、などを採用する。
【０００３】
このようなプレハブ住宅においては、水周りユニット内の機器はほぼ同じであるので、配管の形、大きさがほぼ同じ物となる。しかし、これらの配管は各ユニットの組立時に行われるので、極めて短時間に完了することが要求される。また、集合住宅、ホテルなどの場合も各戸、各室ごとに規格化された内部構造とされているので、水周り配管も統一されたものにされている。しかし、配管工事が一時期に集中し、その後の工程までを極めて短期間内に施工する必要がある。特に、集合住宅のように、小スペースにコンパクトにまとめて設置される水周りの設備を多数施工する建築現場では、他の業種の工程との兼ね合い上、工程短縮の要請が強く、施工後の検査時間の短縮も必要であった。
【０００４】
この様な配管施工の時間を短縮するために、従来から、ヘッダー工法、サヤ管ヘッダー工法が提案され、実用化されている。「ヘッダー工法」とは、主給水配管に接続されるヘッダーに設けられた複数個の分岐口の１個１個に可撓性を有する送液管等を接続し、この送液管を建築物のスラブ面上等に敷設して、所望の場所の各水栓器具（行き先）まで導く工法である。この工法によれば配管施工の時間短縮は可能であるが、さらに短縮化を求められ、ヘッダーの複数個の分岐口に、予め所定長さの可撓性のある送液管を接続した配管用部材の組立品が提案された（特開平７−１５８１２８号公報参照）。
【０００５】
また、「サヤ管ヘッダー工法」とは、給水配管に接続されるヘッダーから所望の場所まで、建築物の床壁上に送液管を敷設するに当たり、スラブ面上に予め管状部材（サヤ管）を敷設し、次いでこの管状部材（さや管）内に可撓性を有する送液管を挿通して敷設する工法である。この工法によると、可撓性を有する送液管が作業員に踏まれたり、スラブ面上に直接に接したりしないので、傷が付くことがなく、配管作業に技量を要さず、熟練者でなくても容易に施工ができるという利点があるが、長尺の場合の搬入・運搬の問題、施工現場での作業スペース確保の問題などがある。このような問題を解消するために、予め所定長さとした可撓性を有する送液管を予め所定長さとしたサヤ管に挿通し、これらの一端をヘッダーの複数個の分岐口に予め接続した配管用部材をコイル状に巻回したさや管ヘッダープレハブユニットとして施工する方法が提案された（特開平７−１９７４９５号公報参照）。
【０００６】
これら提案されている改良法のうち、特開平７−１５８１２８号公報に記載の組立品の場合は、送液管の一端がヘッダーの複数個の分岐口に予め固定されており、送液管の長さは予め所定の長さに調整されているとは言うものの、送液管は固定具でスラブ面、壁面、桟木などに固定されるので、送液管の余分な長さを吸収させることができず、長さを施工現場において微調整（切断）する必要がある。予め所定の長さに調整されている送液管が短い場合は、全体を長いものに置き換えなければならず、この危険をさけるために理論値より若干長めにされているのが普通である。送液管の長さの微調整は、各水栓器具は一戸の建物の中で分散しており、これら分散した各水栓器具の継手のある場所で個々に行う必要があり、作業者にとっては極めて煩わしいという欠点がある。
【０００７】
また、特開平７−１９７４９５号公報に記載の施工方法によるときは、特開平７−１５８１２８号公報に記載の場合と同様に、送液管の一端がヘッダーの複数個の分岐口に予め固定されており送液管の長さは予め所定の長さに調整されているとは言うものの、余分な長さを施工現場において微調整（切断）する必要がある。この公報に記載のサヤ管ヘッダープレハブユニットは、送液管がサヤ管に挿通されているので、送液管の余分な長さを他の部分に吸収させることは極めて困難で、送液管の長さの微調整をしなければならず、上の場合と同様の欠点がある。また、サヤ管ヘッダープレハブユニットは、送液管を挿通したサヤ管を複数本予めヘッダー固定しているので、全体として重量が重く、保管、輸送、取扱いが不便であるという欠点がある。
【０００８】
【発明が解決しようとする課題】
本発明者らは、かかる現状に鑑み、一般の住宅、高層住宅、ホテルおよび商業ビルなどのプレハブ建築物に主に用いられる給水・給湯配管に関し、現場における施工の簡便化を図った配管用部材組立品、およびこの配管用部材を使用した施工方法を提供することを目的として、鋭意検討した結果、本発明を完成した。  すなわち、本発明は、次のことを目的とする。
１．配管施工時間を大幅に短縮できる配管用部材組立品の施工方法を提供すること。
２．全体として重量が重くなく、保管、輸送、取扱いに便利な配管用部材組立品の施工方法を提供すること。
３．送液管のロス（廃棄物）の発生の少ない配管用部材組立品の施工方法を提供すること。
【０００９】
【課題を解決するための手段】
上記課題を解決するため、本発明は、所定の長さに切断された可撓性を有する送液管の一端に、事前に継手が接続されてなる複数組の配管用部材組立品を、まず、施工場所において継手を水栓器具設置場所に固定し、次いで、送液管を配管ルートに沿って配管し、最後に、各送液管の他端をそれぞれ複数の分岐口を有する給水・給湯ヘッダーの各一個の分岐口に接続することを特徴とする配管用部材組立品の施工方法を提供する。
【００１０】
【発明の実施の形態】
以下、本発明を詳細に説明する。
本発明において、可撓性を有する送液管としては、架橋ポリエチレン管、架橋ポリブテン管のように機械的に、または融着で接続できる管、ステンレス・スチール・コルゲイテッド・チューブ(SSCT)、銅管、アルミニウム管の内外面に中密度ポリエチレンや架橋ポリエチレンを被覆した金属強化ポリエチレン管、またはＪＩＳ  Ｇ３４４８に規定されている一般配管用ステンレス鋼鋼管よりも薄肉にされたステンレス鋼コイルド・チューブ(SCT)、などが挙げられる。中でも好ましいのは、架橋ポリエチレン管、架橋ポリブテン管である。
【００１１】
本発明に係る施工方法で使用される配管用部材組立品は、上記の送液管の一端に、事前に、継手が接続されている必要がある。ここで「事前に」とは、配管用部材組立品の施工現場で接続するものでないことを意味する。一般には、送液管を所定の長さに切断する工場、施工現場以外の他の作業場などで接続される。また「所定の長さ」とは、各水栓器具の継手から複数の分岐口を有する給水・給湯ヘッダーの各一個の分岐口までの距離を言い、図面上の長さ（理論値）より数ミリメートルまたは数センチメートル長めの長さをいう。送液管の長さ不足がおこると、これに継ぎ足すことは困難であるので全体を長いものに置き換えるが必要となり、送液管のロス（廃棄物）が発生する。図面上の長さより若干長くしておくことにより、長さ不足が起こらなくなり、全体を長いものに置き換えることが不要になり、送液管のロスの発生を少なくすることができる。
【００１２】
送液管の一端に接続される継手は、送液管の端部と水栓器具との間に配置されて両者を接続するもので、水栓アダプタ、水栓エルボなどを兼ねる構造のものであってもよい。水栓器具は用途（行き先）によって設置場所が異なるので、複数の分岐口を有するヘッダーの各分岐口から各水栓器具までの距離は、水栓器具は用途によって個々に異なることになる。水栓器具の用途としては、台所の給水・給湯栓、風呂の給水・給湯栓、洗面化粧台の給水・給湯栓、便所の給水栓などが挙げられる。
【００１３】
本発明に係る施工方法で使用される配管用部材組立品は、その送液管が裸管のままであってもよい。ただし、裸管の場合には、施工中に送液管が作業員に踏まれたり、その上に工具が落下したりした場合に傷が付き、漏水の原因になることがある。このような不都合を防ぐために、上記送液管をサヤ管内に挿通しておくのが好適である。サヤ管の長さは、その中に挿通する送液管の長さに合せて調節する。一般には、サヤ管は送液管の長さより若干短くされる。送液管をサヤ管に挿通する作業は、「事前に」行うものとする。送液管をサヤ管に挿通する作業を事前に行うので、施工現場での作業スペースが必要ない。
【００１４】
サヤ管を構成するものとしては、可撓性を有する合成樹脂管、特に波付き管、蛇腹管などのコイル巻きが可能な管が使用される。波付き管、蛇腹管の素材としては、ポリ塩化ビニル、ポリエチレン、ポリプロピレン、ポリ塩化ビニリデン、ポリカーボネート、ポリアミド類などの熱可塑性樹脂が挙げられる。
【００１５】
なお、サヤ管と送液管との間には緩衝層を設けるのが好ましい。この緩衝層は、ウォターハンマー現象による打撃音の消音対策に役立つ。緩衝層は、発泡ポリエチレンなどの発泡体のシート材によって構成し、これを送液管の外側に巻き付けて、サヤ管に挿通することによって形成することができる。
【００１６】
本発明に係る施工方法で使用される配管用部材組立品は、工場でまたは施工現場以外の作業場などで、複数組の組立品の用途別にコイル状に巻回して継手部分に行き先表示札（用途名表示札）を取り付け、さらにこのコイル状に巻回した複数組の組立品を一組ごとに段ボール箱に収納し、箱には各組立品の行き先を明記するのが好ましい。段ボール箱には一組の組立品しか収納しないので、保管スペースも少なくでき、段ボール箱の重量はそれ程重くならず、輸送、取扱いに極めて便利である。段ボール箱に行き先を明記しておくと、輸送、配管施工の際に便利である。
【００１７】
本発明に係る施工方法で施工するには、まず、一施工ユニット（一戸、一室用などとして纏めたもの）に要する組立品の種類、数を、個別に段ボール箱に収納されている段階で確認して準備する。次に、これら複数の段ボール箱を施工現場に運搬し、水栓器具の用途に合った組立品を段ボール箱の表示で確認して取り出し、組立品の行き先表示札で再確認してから、各組立品の継手側を水栓器具の設置場所に固定し、コイル状に巻回されている組立品を所定の配管ルートに沿って解きつつ配管し、コーナーベント、サヤ管サドルなどによって定位置で固定し、各送液管の他端をそれぞれ複数の分岐口を有する給水・給湯ヘッダーの各一個の分岐口に導く。
【００１８】
水栓器具の用途ごとに上と同様の手順で配管し、複数本の送液管をそれぞれ複数の分岐口を有する給水・給湯ヘッダーの各一個の分岐口に導く。複数本の送液管長さの微調整は、給水・給湯ヘッダーを設置した一箇所で集中して行い、給水・給湯ヘッダーの複数の分岐口に接続することができる。従来のヘッダープレハブユニット、サヤ管ヘッダープレハブユニットなどを使用する場合には、送液管の一端をヘッダー側で固定されているが、他端は水栓器ごとに固定する必要があったので、作業員が複数の水栓器具の設置場所を移動する必要があったが、本発明に係る配管用部材組立品を用いた施工方法による場合は、作業員は一箇所で作業ができるので移動の必要がない。
【００１９】
本発明に係る施工方法による施工は、一般の住宅、マンションなどの集合住宅、高層商業ビル、高層ビジネスホテルなどのプレハブ建築物の水周りユニットを施工する際に、適用することができる。水周りとしては、台所、洗面所、風呂、便所、洗濯機置場などが挙げられるが、これら例示したものに限定されるものではない。
【００２０】
【実施例】
以下、本発明を図面に基いて詳細に説明する。
図１は、本発明に係る施工方法により施工する際に使用される、配管用部材組立品の一例の斜視図であり、図２は、本発明に係る施工方法によって、一般の住宅の水周りユニットを施工した一例を示す斜視図である。
【００２１】
図１において、１０は送液管、１１はサヤ管、１２は送液管の一端に接続された継手、１３は表示板、１４は送液管の他端、１５は配管用部材組立品を示す。図２において、給湯器２０からの温水が導かれる給水配管２１には、給湯側のヘッダー２２が接続され、水道水が導かれる給水配管２３には、給水側のヘッダー２４が接続されている。給湯側のヘッダー２２に接続された複数の湯配管２５、給水側のヘッダー２４に接続された複数の水配管２６は、住戸内の複数箇所に設けられた水栓器具のそれぞれから導かれている。図示した例では、継手３１によって水栓器具２７に固定されている。水栓器具２７は、浴槽、シャワー、流し台、洗濯機、洗面台、トイレなどの水栓器具のものである。水配管２６の他端は、継手３２を介してヘッダー２２、２４に接続された例を示している。
【００２２】
図２に示した例では、湯配管２５および水配管２６のそれぞれは、サヤ管１１に挿通して構成した例を示したが、裸管であってもよい。送液管１０の一端に取付けられた継手１２を、まず、接続具を介して水栓器具設置場所ごとに固定し、コイル状に巻回されている組立品を所定の配管ルートに沿って解きつつ配管し、コーナーベント、サヤ管サドルなどによって定位置で固定し、湯配管２５および水配管２６の他端をヘッダー２２、２４の分岐口に導く。ヘッダーの分岐口に導かれた送液管の他端は、ヘッダー２２、２４付近に導かれた湯配管２５および水配管２６は、ヘッダー分岐口の部分で長さを微調整して、それぞれ継手３１によって分岐口に接続され、施工が完成する。
【００２３】
【発明の効果】
本発明は、次のような特別に有利な効果を奏し、その産業上の利用価値は極めて大である。
１．発明に係る施工方法によって施工するときは、送液管の継手を水栓器具設置場所に固定し、送液管を配置・固定し、送液管の他端を給水・給湯ヘッダーの分岐口に接続すればよいので、配管施工時間を大幅に短縮することができる。
２．本発明に係る施工方法において使用する配管用部材組立品は、水栓器具の用途によって個々にコイル状に巻回されており、従来のヘッダープレハブユニットのように複数の用途に使用される配管が同時に巻回されてはいないので、組立品の重量が軽く、保管、輸送、取扱いに極めて便利である。
３．本発明に係る施工方法によれば、コイル状に巻回されている組立品を所定の配管ルートに沿って解きつつ配管するので、施工作業を能率的に行うことができる。
４．本発明に係る施工方法によれば、送液管の長さの微調整は、給水・給湯ヘッダーを設置した一箇所で集中して行うことができ、しかも送液管のロス（廃棄物）の発生の少なくすることができる。
５．本発明に係る施工方法によれば、送液管とヘッダーとの接続作業を一箇所ででき作業員の移動がないので、他の業種との作業工程が重なっても、他業種の作業員の作業を邪魔することがない。
【図面の簡単な説明】
【図１】  本発明に係る施工方法により施工する際に使用される配管用部材組立品の一例の斜視図である。
【図２】  本発明に係る施工方法によって、一般の住宅の水周りユニットを施工した一例を示す斜視図である。
【図１】
0003672055.tif 000002
【図２】
0003672055.tif 000003